(57)【要約】【課題】構成を複雑化することなく背凭れ部の支持部の傾斜角度を変更可能とすると共に、支持部の傾斜角度を安定化させる。【解決手段】子供用座席装置本体１２の背凭れ部１２Ｂには、座部１２Ａに対する背凭れ部１２Ｂの角度と異なる角度の支持部８０Ａを備えた着脱用背凭れ板８０が取り付けられる。着脱用背凭れ板８０は、支持部８０Ａの両サイドに前方側に突出する湾曲面８０Ｂを備えており、支持部８０Ａの下端部８０Ｅの幅方向中央部に係合片８２が下向きに突設され、湾曲面８０Ｂの下端部８０Ｆの両端に係合片８４が下向きに突設されている。座部１２Ａには、係合片８２が係合される孔部８６と、係合片８４が係合される孔部８８が設けられている。着脱用背凭れ板８０を取り付けるときは、係合片８２を上方側から座部１２Ａの孔部８６に差し込むと共に、係合片８４を上方側から座部１２Ａの孔部８８に差し込む。【選択図】図５
2011084209.tif 000002
【特許請求の範囲】
【請求項１】
子供が着座可能な座部と、前記座部の後端部に立設され前記座部に着座した子供の背中を支持する背凭れ部と、を備えた座席本体と、
上部が前記背凭れ部に支持され前記座部に対する前記背凭れ部の角度と異なる角度となる支持部と、前記支持部の下部から突設されて前記座部に形成された被係合部に係合される係合部と、を備えた着脱用背凭れ板と、
を有する子供用座席装置。
【請求項２】
前記着脱用背凭れ板は両サイドが前方側に突出する翼部を備え、
前記着脱用背凭れ板の上部が、前記背凭れ部に形成された背凭れ湾曲面に寄りかかる請求項１に記載の子供用座席装置。
【請求項３】
前記着脱用背凭れ板の上部に、前記背凭れ部に形成された上側被係合部に係合される上側係合部が設けられている請求項２に記載の子供用座席装置。
【請求項４】
前記係合部が前記翼部の下部及び前記支持部の中央部に下向きに形成されている請求項３に記載の子供用座席装置。
【請求項５】
前記翼部の下部に形成された係合部には突状部が設けられ、前記係合部が弾性変形して前記被係合部と係合したとき前記突状部が前記被係合部に係止される請求項３又は請求項４に記載の子供用座席装置。
【請求項６】
前記着脱用背凭れ板の装着時に前記座部と前記支持部の挟む角度が前記座部と前記背凭れ部の挟む角度よりも大きい請求項１から請求項５までのいずれか１項に記載の子供用座席装置。
【請求項７】
前記座部に着座した子供の頭部を保護するヘッドガードと、前記ヘッドガードを上下方向にスライドさせて固定する高さ調整装置と、を備えたヘッドガードユニットが前記背凭れ部に着脱可能に設けられている請求項１から請求項６までのいずれか１項に記載の子供用座席装置。
【請求項８】
二輪車本体に請求項１から請求項７までのいずれか１項に記載の子供用座席装置が取り付けられている二輪車。
【発明の詳細な説明】
【技術分野】
【０００１】
本発明は、子供用座席装置及び二輪車に関する。
【背景技術】
【０００２】
従来、自転車等に取り付けられる子供用座席装置では背凭れ部をリクライニング可能とした構成が知られている。
【０００３】
下記特許文献１には、幼児用座席を自転車のハンドルに取り付けると共に、左右方向に延在するハンドル中心軸を傾動軸として座席本体を前後方向に傾動自在とし、座席本体を所定の傾動位置でロックするロック手段を備えた構造が開示されている。
【０００４】
また、下記特許文献２には、幼児用乗りかごの両側面部の内側下部に前後方向に沿って複数の貫通孔を設け、背凭れ部を構成する丸棒の下端部を幅方向外側に折り曲げた係着部を貫通孔に貫通させると共に、背凭れ部のリング部に挿通した架け渡し部を幼児用乗りかごの両側面部の上端部に係着させた構造が開示されている。
【先行技術文献】
【特許文献】
【０００５】
【特許文献１】特開２００５−１３２２２０号公報
【特許文献２】実開昭６０−８５２８６号公報
【発明の概要】
【発明が解決しようとする課題】
【０００６】
しかしながら、上記特許文献１では、座席本体を前後方向に傾動自在に構成すると共に、座席本体を所定の傾動位置でロックするロック手段を設けるため、構造が複雑であり、部品点数が増える。
【０００７】
また、上記特許文献２では、格子状の丸棒で形成された背凭れ部の下端部の係着部を貫通孔に回動可能に連結し、背凭れ部の傾斜の支え位置をリング部に挿通した架け渡し部で保持するため、背凭れ部ががたつくと共に、背凭れ部の組付け作業も煩雑であり、改善の余地がある。
【０００８】
本発明は、上記問題点に鑑みてなされたものであり、構成を複雑化することなく背凭れ部の支持部の傾斜角度の変更が可能であると共に、支持部の傾斜角度を安定化させることができる子供用座席装置及び二輪車を提供することを目的とする。
【課題を解決するための手段】
【０００９】
上記課題を解決するために、請求項１に記載の発明に係る子供用座席装置は、子供が着座可能な座部と、前記座部の後端部に立設され前記座部に着座した子供の背中を支持する背凭れ部と、を備えた座席本体と、上部が前記背凭れ部に支持され前記座部に対する前記背凭れ部の角度と異なる角度となる支持部と、前記支持部の下部から突設されて前記座部に形成された被係合部に係合される係合部と、を備えた着脱用背凭れ板と、を有している。
【００１０】
請求項１に記載の発明によれば、座席本体には座部の後端部に背凭れ部が立設されており、座部に着座した子供の背中が背凭れ部によって支持される。座部に対する背凭れ部の角度を変更したいときは、座席本体に座部に対する背凭れ部の角度と異なる角度となる支持部を備えた着脱用背凭れ板を装着する。着脱用背凭れ板を装着するときは、支持部の下部から突設された係合部を座部の被係合部に差し込んで係合させ、着脱用背凭れ板の上部を背凭れ部に支持させる。これによって、簡易な構成により座部に対する背凭れ部の角度を変更可能であり、着脱用背凭れ板の座席本体への着脱作業が容易である。また、支持部の下部から突設された係合部を座部の被係合部に係合させ、着脱用背凭れ板の上部を背凭れ部に支持させるので、着脱用背凭れ板の取り付け状態が安定化し、支持部の傾斜角度を安定化させることができる。
【００１１】
請求項２に記載の発明は、請求項１に記載の子供用座席装置において、前記着脱用背凭れ板は両サイドが前方側に突出する翼部を備え、前記着脱用背凭れ板の上部が、前記背凭れ部に形成された背凭れ湾曲面に寄りかかるものである。
【００１２】
請求項２に記載の発明によれば、着脱用背凭れ板は両サイドが前方側に突出する翼部を備えており、着脱用背凭れ板の上部が背凭れ部に形成された背凭れ湾曲面に寄りかかる。すなわち、着脱用背凭れ板の下部の係合部が座部の被係合部に係合され、着脱用背凭れ板の上部が背凭れ部の背凭れ湾曲面に寄りかかるため、着脱用背凭れ板のガタつきが抑制され、支持部の傾斜角度をより安定化させることができる。
【００１３】
請求項３に記載の発明は、請求項２に記載の子供用座席装置において、前記着脱用背凭れ板の上部に、前記背凭れ部に形成された上側被係合部に係合される上側係合部が設けられているものとする。
【００１４】
請求項３に記載の発明によれば、着脱用背凭れ板を座席本体に装着したとき、着脱用背凭れ板の上部に設けられた上側係合部が背凭れ部に形成された上側被係合部に係合される。これによって、着脱用背凭れ板の座席本体への取り付け状態がより一層安定化し、着脱用背凭れ板の位置ずれが抑制される。
【００１５】
請求項４に記載の発明は、請求項３に記載の子供用座席装置において、前記係合部が前記翼部の下部及び前記支持部の中央部に下向きに形成されているものである。
【００１６】
請求項４に記載の発明によれば、係合部が翼部の下部及び支持部の中央部に下向きに形成されており、係合部を上方から座部の被係合部に差し込むことで、係合部が座部の被係合部に係合される。これによって、着脱用背凭れ板の座席本体への取り付けを容易に行うことができる。
【００１７】
請求項５に記載の発明は、請求項３又は請求項４に記載の子供用座席装置において、前記翼部の下部に形成された係合部には突状部が設けられ、前記係合部が弾性変形して前記被係合部と係合したとき前記突状部が前記被係合部に係止されるものである。
【００１８】
請求項５に記載の発明によれば、着脱用背凭れ板の翼部の下部に形成された係合部が弾性変形して被係合部と係合したとき、係合部に設けられた突状部が被係合部に係止されるので、係合部が被係合部から抜けるのを抑制することができる。
【００１９】
請求項６に記載の発明は、請求項１から請求項５までのいずれか１項に記載の子供用座席装置において、前記着脱用背凭れ板の装着時に前記座部と前記支持部の挟む角度が前記座部と前記背凭れ部の挟む角度よりも大きいものである。
【００２０】
請求項６に記載の発明によれば、着脱用背凭れ板の装着時に前記座部と前記支持部の挟む角度が前記座部と前記背凭れ部の挟む角度よりも大きいため、子供の成長や体格に合わせて着脱用背凭れ板を座席本体に着脱し、座部に対する背凭れ部の傾斜角度を変更することができる。
【００２１】
請求項７に記載の発明は、請求項１から請求項６までのいずれか１項に記載の子供用座席装置において、前記座部に着座した子供の頭部を保護するヘッドガードと、前記ヘッドガードを上下方向にスライドさせて固定する高さ調整装置と、を備えたヘッドガードユニットが前記背凭れ部に着脱可能に設けられているものである。
【００２２】
請求項７に記載の発明によれば、背凭れ部に着脱可能にヘッドガードユニットが設けられており、子供の成長や体格に合わせてヘッドガードを高さ調整装置により上下方向にスライドさせて固定し、座部に着座した子供の頭部を適切に保護することができる。また、ヘッドガードが不要な場合は、ヘッドガードユニットを背凭れ部から取り外すことができる。
【００２３】
請求項８に記載の発明に係る二輪車は、二輪車本体に請求項１から請求項７までのいずれか１項に記載の子供用座席装置が取り付けられているものである。
【００２４】
請求項８に記載の発明によれば、二輪車本体に請求項１から請求項７までのいずれか１項に記載の子供用座席装置が取り付けられており、着脱用背凭れ板を座席本体に着脱することで、構成を複雑化することなく座部に対する背凭れ部の傾斜角度を変更することができる。また、着脱用背凭れ板の座席本体への取り付け状態が安定化し、支持部の傾斜角度を安定化させることができる。
【発明の効果】
【００２５】
本発明によれば、構成を複雑化することなく座部に対する背凭れ部の傾斜角度の変更が可能であると共に、着脱用背凭れ板の装着時に支持部の傾斜角度を安定化させることができる。
【図面の簡単な説明】
【００２６】
【図１】本発明の一実施形態である子供用座席装置を示す斜視図である。
【図２】本発明の一実施形態である子供用座席装置に用いられる着脱用背凭れ板を示す斜視図である。
【図３】本発明の一実施形態である子供用座席装置に用いられる着脱用背凭れ板を示す側面図である。
【図４】本発明の一実施形態である子供用座席装置に用いられる子供用座席装置本体の一部を拡大した斜視図である。
【図５】子供用座席装置本体に着脱用背凭れ板を取り付ける過程を示す斜視図である。
【図６】子供用座席装置本体に着脱用背凭れ板を取り付けた状態を示す斜視図である。
【図７】子供用座席装置本体に着脱用背凭れ板を取り付けた状態を前後方向に沿って示す断面図である。
【図８】図７に示す着脱用背凭れ板の係合部付近を拡大した断面図である。
【図９】子供用座席装置本体に着脱用背凭れ板を取り付けた状態を幅方向に沿って示す断面図である。
【図１０】図７に示す着脱用背凭れ板の係合部付近を子供用座席装置本体の下方側から見た図である。
【図１１】子供用座席装置に用いられるヘッドガードユニットを前方側から見た斜視図である。
【図１２】ヘッドガードユニットを背凭れ部に取り付ける過程を示す斜視図である。
【図１３】ヘッドガードユニットを背凭れ部に取り付けた状態を示す断面図である。
【図１４】ヘッドガードの高さ調整装置を示す構成図である。
【図１５】ヘッドガードの高さ調整装置の操作過程を示す構成図である。
【図１６Ａ】着脱用背凭れ板の上端背面部に設けられた凸部を示す部分構成図である。
【図１６Ｂ】着脱用背凭れ板の上端背面部に設けられた凸部が背凭れ部の凹部に係合された状態を示す部分断面図である。
【発明を実施するための形態】
【００２７】
以下、図１〜図１５を用いて、本発明の一実施形態である子供用座席装置について説明する。
【００２８】
図１には、本発明の一実施形態である子供用座席装置が斜視図にて示されている。この図に示されるように、子供用座席装置１０は、二輪車の後方側の荷台に取り付けられる子供用座席装置本体１２（座席本体）を備えている。子供用座席装置本体１２は、子供が着席可能な座部１２Ａと、この座部１２Ａの後端部から上方側に起立するように延びた背凭れ部１２Ｂと、を備えている。背凭れ部１２Ｂは、座部１２Ａに着席した子供の背中を支持するように両サイドが前方側に突出した背凭れ湾曲面としての湾曲面１３Ａを備えている。座部１２Ａの両サイドには、座部１２Ａから垂下されて子供の左右の足を載せるステップ１４が設けられている。ステップ１４の下部には、幅方向外側にほぼ水平に突出された突出部１４Ａが設けられており、突出部１４Ａに子供の左右の足がそれぞれ載置される。座部１２Ａの前端部には、子供の前方側をガードするループ状のハンドル部１６が立設されている。ハンドル部１６を設けることで、座部１２Ａに子供が着座したときにハンドル部１６を握って自身の身体を支えることができ、子供に安心感を与えることができる。なお、子供用座席装置１０は、二輪車の前方側のハンドル部に取り付けてもよい。
【００２９】
子供用座席装置本体１２の背凭れ部１２Ｂの上部には、座部１２Ａに着席した子供の頭部を保護するヘッドガード２２を備えたヘッドガードユニット２０が設けられている。ヘッドガードユニット２０には、ヘッドガード２２を背凭れ部１２Ｂに沿って上下方向にスライドさせて所定の位置で固定する高さ調整装置２４が設けられている。図１及び図１１に示されるように、ヘッドガード２２は、座部１２Ａに着席した子供の後頭部と対向する後壁部２２Ａと、後壁部２２Ａから子供の側頭部に沿って両サイド側に湾曲するように延びた翼部２２Ｂと、後壁部２２Ａの中央部から下方側に延びた支持脚２２Ｃと、を備えている。
【００３０】
図１及び図７に示されるように、子供用座席装置本体１２の座部１２Ａと背凭れ部１２Ｂに跨る位置には着脱用背凭れ板８０が着脱可能に装着されている。着脱用背凭れ板８０は、子供用座席装置本体１２への装着時に座部１２Ａに対する背凭れ部１２Ｂの角度（座部１２Ａと背凭れ部１２Ｂの挟む角度）と異なる角度に形成された支持部８０Ａを備えている。着脱用背凭れ板８０には、支持部８０Ａの両サイドに前方側に突出する翼部としての湾曲面８０Ｂが形成されている。着脱用背凭れ板８０の上端部８０Ｃ及び両側部８０Ｄは、子供用座席装置本体１２への装着時に背凭れ部１２Ｂの湾曲面１３Ａに寄りかかり、上端部８０Ｃ及び両側部８０Ｄが背凭れ部１２Ｂの湾曲面１３Ａに隙間なく当接するような形状となっている。
【００３１】
図２及び図３に示されるように、着脱用背凭れ板８０には、支持部８０Ａの下端部８０Ｅの幅方向中央部に下向きに突設された係合部としての係合片８２と、湾曲面８０Ｂの下端部８０Ｆの幅方向両端部に下向きに突設された係合部としての左右対称の係合片８４と、が設けられている。支持部８０Ａの下端部８０Ｅは後方側に突出しており、その突出した後端部に係合片８２が設けられている。係合片８２は、着脱用背凭れ板８０の支持部８０Ａの下端部８０Ｅから略鉛直方向に突設された平面状の板片である。係合片８４は、着脱用背凭れ板８０の湾曲面８０Ｂの下端部８０Ｆから略鉛直方向に突設すると共に、係合片８４の中間部に幅方向内側に突状に折り曲げられた突状部８４Ａを備えている。
【００３２】
図４に示されるように、子供用座席装置本体１２の座部１２Ａには、幅方向中央部に係合片８２が係合される被係合部としての孔部８６と、両サイドに係合片８４が係合される被係合部としての孔部８８とが設けられている。孔部８８は、座部１２Ａの両サイドの若干湾曲した部分に設けられている。座部１２Ａの孔部８６の後方側の壁部には、前方側に突出する突起８７が形成されている。
【００３３】
図５に示されるように、子供用座席装置本体１２に着脱用背凭れ板８０を取り付けるときは、着脱用背凭れ板８０を子供用座席装置本体１２の上方側から挿入し、着脱用背凭れ板８０の係合片８２を座部１２Ａの孔部８６に差し込むと共に、着脱用背凭れ板８０の係合片８４を座部１２Ａの孔部８８に差し込むことによって、係合片８２と孔部８６、係合片８４と孔部８８とが係合されるようになっている。係合片８２は孔部８６に差し込まれたときに突起８７の先端に当接する。係合片８４は孔部８８に差し込まれるときに幅方向外側に弾性変形し、突状部８４Ａが孔部８８の縁部に係止されることで、突状部８４Ａの抜けが抑制される。
【００３４】
図６〜図９に示されるように、係合片８２と孔部８６、係合片８４と孔部８８とが係合された状態で、着脱用背凭れ板８０の支持部８０Ａの下端部８０Ｅ及び湾曲面８０Ｂの下端部８０Ｆが座部１２Ａに当接する。この状態で、図１に示されるように、着脱用背凭れ板８０の上端部８０Ｃが背凭れ部１２Ｂの湾曲面１３Ａに支持され、上端部８０Ｃ及び両側部８０Ｄが背凭れ部１２Ｂの湾曲面１３Ａに寄りかかるように構成されている。本実施形態では、着脱用背凭れ板８０の上端部８０Ｃ及び両側部８０Ｄの縁部が後方側に屈曲されており、背凭れ部１２Ｂには、着脱用背凭れ板８０の上端部８０Ｃ及び両側部８０Ｄの縁部に沿って前方側に突出した逆Ｕ字状の段差部３５が形成されている（図１２参照）。着脱用背凭れ板８０の子供用座席装置本体１２への装着時には、着脱用背凭れ板８０の上端部８０Ｃ及び両側部８０Ｄの縁部が段差部３５に当接する構成となっている（図７参照）。なお、座部１２Ａにはクッションマットが敷かれている。着脱用背凭れ板８０の子供用座席装置本体１２への装着時には、クッションマットの後端部を上方側に捲って着脱用背凭れ板８０の係合片８２、係合片８４を座部１２Ａの孔部８６、孔部８８に差し込むようにしている。
【００３５】
着脱用背凭れ板８０の中央部には、クッション９０が着脱可能に装着されている。クッション９０の背面部には、先端に係止部９２Ａが形成された複数のピン状部材９２が突設されている。着脱用背凭れ板８０には、ピン状部材９２の係止部９２Ａが係止される複数の孔部９４が設けられており、ピン状部材９２の係止部９２Ａが孔部９４の縁部に係止されることで、着脱用背凭れ板８０にクッション９０が装着されている。また、子供用座席装置本体１２の背凭れ部１２Ｂにも、ピン状部材９２の係止部９２Ａが係止される複数の孔部（図示省略）が設けられており、着脱用背凭れ板８０を子供用座席装置本体１２から取り外したときに、クッション９０を子供用座席装置本体１２の背凭れ部１２Ｂにも装着可能な構成となっている。
【００３６】
図１６Ａ、図１６Ｂに示されるように、着脱用背凭れ板８０の支持部８０Ａの上端背面部（背凭れ部１２Ｂと対向する面）には、上端部から下向きに突出した上側係合部としてのフック部８５が設けられている。また、背凭れ部１２Ｂの段差部３５の上面には、フック部８５が係合される上側被係合部としての穴部９８が設けられている（図１２参照）。着脱用背凭れ板８０を子供用座席装置本体１２に取り付けるときに、着脱用背凭れ板８０のフック部８５を背凭れ部１２Ｂの穴部９８に係合させることで、着脱用背凭れ板８０のガタツキや位置ずれが抑制されるようになっている。
【００３７】
図１１〜図１５に示されるように、高さ調整装置２４は、支持脚２２Ｃの前面及び側面を囲むように配設される前方側支持部材２６と、支持脚２２Ｃの背面及び下部側の周囲を囲むように配設される後方側支持部材２８と、支持脚２２Ｃを所定のスライド高さで保持する保持手段５０と、を備えている。前方側支持部材２６は、背凭れ部１２Ｂの背面部１３Ｂに当接するように取付部材４０により取り付けられている（図１３参照）。
【００３８】
図１１に示されるように、後方側支持部材２８の下部には、側壁部２８Ａから前方側に延設された筒状部２８Ｂを備えており、筒状部２８Ｂの開口２９（図１３参照）に支持脚２２Ｃが挿通されている。後方側支持部材２８の筒状部２８Ｂは前方側支持部材２６の下方側に連結され、前方側支持部材２６と後方側支持部材２８とで支持脚２２Ｃの周囲を囲むように配置される。前方側支持部材２６は後方側支持部材２８の４隅で図示しない締結具で締結固定されている。支持脚２２Ｃの前面部には、上下方向に溝部３０が形成されており、前方側支持部材２６の背面部に突設されたガイド部３２が溝部３０に挿入され、支持脚２２Ｃがガイド部３２に沿って上下方向にスライド可能となっている。
【００３９】
図１２に示されるように、子供用座席装置本体１２の背凭れ部１２Ｂには、ヘッドガードユニット２０が着脱可能に取り付けられている。背凭れ部１２Ｂの上端部には、ヘッドガードユニット２０を取り付けるための左右一対の円形の貫通孔３４が設けられている。背凭れ部１２Ｂの湾曲面１３Ａには、左右一対の貫通孔３４より下方側に、背凭れ部１２Ｂの前方側に突出した逆Ｕ字状の段差部３５が設けられている。段差部３５には、左右一対の貫通孔３４の下方側に左右一対の凹部３６が設けられており、凹部３６にはヘッドガードユニット２０を取り付けるための貫通孔３７が形成されている。背凭れ部１２Ｂには、左右一対の貫通孔３４及び貫通孔３７の他にヘッドガードユニット２０を取り付けるための特別な部材は設けられていない。
【００４０】
図１２及び図１３に示されるように、背凭れ部１２Ｂにヘッドガードユニット２０を取り付けるための取付部材４０は、前方側支持部材２６の上端部２６Ａに係止されるフック部４０Ａと、フック部４０Ａが前方側支持部材２６の上端部２６Ａに係止された状態で背凭れ部１２Ｂの上端部１３Ｃを跨いで湾曲面１３Ａ側へ延びて前方側支持部材２６との間で背凭れ部１２Ｂを挟み込む挟込部４０Ｂと、を備えている。フック部４０Ａは、前方側支持部材２６のガイド部３２と干渉しない位置に左右一対設けられている。挟込部４０Ｂの背面には、フック部４０Ａが前方側支持部材２６の上端部２６Ａに係止された状態で背凭れ部１２Ｂの貫通孔３４に嵌まり込む円形の突出部４０Ｃが設けられており、突出部４０Ｃには円形のボルト挿通孔４０Ｄが形成されている。
【００４１】
図１３に示されるように、前方側支持部材２６の上端部２６Ａの背面には、背凭れ部１２Ｂの貫通孔３４と合致する位置にナット４４が挿入される凹部２６Ｂが設けられており、凹部２６Ｂの中心部にはボルト挿通孔２６Ｃが設けられている。後方側支持部材２８の筒状部２８Ｂの内側には、背凭れ部１２Ｂの貫通孔３７と合致する位置にナット４４が回転不能に挿入される凹部２８Ｃが設けられており、凹部２８Ｃの中心部にはボルト挿通孔２８Ｄが設けられている。
【００４２】
取付部材４０の挟込部４０Ｂの前方側からボルト４２をボルト挿通孔４０Ｄ及びボルト挿通孔２６Ｃに挿通し、前方側支持部材２６の凹部２６Ｂに固着されたナット４４に締結することで、前方側支持部材２６が背凭れ部１２Ｂに固定されている。同様に、背凭れ部１２Ｂの前方側からボルト４２を貫通孔３７及びボルト挿通孔２８Ｄに挿通し、後方側支持部材２８の筒状部２８Ｂの凹部２８Ｃに固着されたナット４４に締結することで、後方側支持部材２８の筒状部２８Ｂが背凭れ部１２Ｂに固定されている。
【００４３】
すなわち、取付部材４０のフック部４０Ａを前方側支持部材２６の上端部２６Ａに係止させ、取付部材４０の挟込部４０Ｂと前方側支持部材２６との間で背凭れ部１２Ｂを挟み込んだ状態で取付部材４０及びヘッドガードユニット２０を背凭れ部１２Ｂにボルト４２とナット４４により締結固定するため、ヘッドガードユニット２０を背凭れ部１２Ｂに強固に固定することができる。また、ボルト４２とナット４４により締結固定するため、ヘッドガードユニット２０を背凭れ部１２Ｂに簡単に取り付けることができ、ヘッドガードユニット２０の着脱作業が容易となる。
【００４４】
また、背凭れ部１２Ｂからヘッドガードユニット２０を取り外すときは、取付部材４０を一緒に取り外すことができ、ヘッドガードユニット２０の取付部材や高さ調整装置が背凭れ部１２Ｂに残ることがない。背凭れ部１２Ｂには左右一対の貫通孔３４と貫通孔３７が形成されているだけであるため、ヘッドガードユニット２０を取り付ける仕様と取り付けない仕様で同じ子供用座席装置本体１２を用いることができ、製造コストの上昇が抑えられる。また、ヘッドガードユニット２０を取り外した後も、背凭れ部１２Ｂには左右一対の貫通孔３４と貫通孔３７が形成されているだけであるため、意匠的に劣ることがなく、取扱い性も良好である。
【００４５】
図１４及び図１５に示されるように、支持脚２２Ｃを所定の高さで保持する保持手段５０は、支持脚２２Ｃの一方の側壁部５２（図１４中の左側の側壁部５２）の幅方向内側に上下方向に沿って形成された複数の係合凹部５４と、側壁部５２に上下方向に沿って形成された長孔５３に軸方向に移動可能に支持された移動ピン５６と、を備えている。移動ピン５６の側壁部５２よりも幅方向外側の先端には、円柱状の摘み部５８が固着されている。移動ピン５６の中間部には、係合凹部５４に係合される凸部６０Ａを備えたブロック片６０が固着されている。移動ピン５６のブロック片６０より端部側（摘み部５８と反対側の端部）にはコイルばね６２が巻回されており、コイルばね６２の一端がブロック片６０に接触している。コイルばね６２の他端は、移動ピン５６が軸方向に移動可能な孔部を備えた当接片６４に接触しており、当接片６４は、支持脚２２Ｃの背面に突設されたガイド部６６に接触している。支持脚２２Ｃは、ガイド部６６が当接片６４に接触した状態で上下方向にスライド可能となっている。コイルばね６２は、当接片６４がガイド部６６に接触した状態で、ブロック片６０を側壁部５２の方向に付勢しており、コイルばね６２の力によりブロック片６０の凸部６０Ａが係合凹部５４に係合される。
【００４６】
前方側支持部材２６の側壁部２６Ｄと後方側支持部材２８の側壁部２８Ａに跨った位置には摘み部５８が挿通される孔部６８が設けられている。コイルばね６２の力により、ブロック片６０の凸部６０Ａが任意の係合凹部５４に係合された状態で摘み部５８が前方側支持部材２６及び後方側支持部材２８の孔部６８に挿通されることで、支持脚２２Ｃが前方側支持部材２６及び後方側支持部材２８に対して所定の高さで保持されるようになっている。支持脚２２Ｃが所定の高さで保持されることで、子供の成長や、異なる身長の子供の体格に合わせてヘッドガード２２を適切な高さに調整することができる。
【００４７】
係合凹部５４は、上面部が支持脚２２Ｃの側壁部５２と直交する方向に形成され、上面部の下側に深さが徐々に浅くなるテーパー部が形成されている。このような高さ調整装置２４では、ヘッドガード２２の高さを上げるときは、単にヘッドガード２２を引き上げればよい。ヘッドガード２２を引き上げることで、係合凹部５４のテーパー部が上方に移動してブロック片６０のコイルばね６２を圧縮させ、下側の係合凹部５４がブロック片６０の位置に移動したときに、コイルばね６２の力により当該係合凹部５４にブロック片６０の凸部６０Ａが係合される。この繰り返しにより、ブロック片６０の凸部６０Ａが支持脚２２Ｃの最下部の係合凹部５４に係合される位置までヘッドガード２２を引き上げることができる。支持脚２２Ｃの最下部の係合凹部５４には、ブロック片６０の下部が係合されるストッパ５５が設けられている。これによって、操作者が支持脚２２Ｃの下端部を持ってヘッドガード２２を抜き方向に引き上げていっても、支持脚２２Ｃの下端部をつかんでいる手指が高さ調整装置２４に挟み込まれないような位置でブロック片６０の下部がストッパ５５と係合し、支持脚２２Ｃが抜けないようになっている。
【００４８】
また、ヘッドガード２２の高さを下げるときは、図１５に示されるように、操作者が親指等で摘み部５８を側壁部５２側に押し込みながらヘッドガード２２を下げることで、ヘッドガード２２の高さが調整可能である。すなわち、摘み部５８を側壁部５２側に押し込むことで、コイルばね６２が圧縮されてブロック片６０の凸部６０Ａと係合凹部５４との係合が外れ、ヘッドガード２２を下げることができる。
【００４９】
また、子供用座席装置のＳＧ規格では、２歳未満の子供では座部と背凭れ部との角度が１１０度以上であること、２歳以上の子供ではヘッドガードなしで座部と背凭れ部との角度が９０度以上であることが規定されている。このため、本実施形態の子供用座席装置本体１２の座部１２Ａに対する背凭れ部１２Ｂの角度を９０度以上、１１０度未満に設定し、子供用座席装置本体１２への着脱用背凭れ板８０の装着時に座部１２Ａに対する支持部８０Ａの角度を１１０度以上に設定し、さらに背凭れ部１２Ｂにヘッドガードユニット２０を着脱可能に構成することで、１つの子供用座席装置でも簡易に上記２通りの規格を満足するように設定することができる。
【００５０】
次に、本実施形態の子供用座席装置１０の作用について説明する。
【００５１】
子供用座席装置本体１２の座部１２Ａに対する背凭れ部１２Ｂの角度（座部１２Ａと背凭れ部１２Ｂの挟む角度）を変更したいときは、図５に示されるように、着脱用背凭れ板８０を子供用座席装置本体１２の上方側から装着し、着脱用背凭れ板８０の係合片８２を上方から下向きに座部１２Ａの孔部８６に差し込むと共に、着脱用背凭れ板８０の係合片８４を上方から下向きに座部１２Ａの孔部８８に差し込む。これによって、図７〜図１０に示されるように、着脱用背凭れ板８０の係合片８２が座部１２Ａの孔部８６に係合されると共に、着脱用背凭れ板８０の係合片８４が座部１２Ａの孔部８８に係合される。係合片８４は孔部８８に差し込まれるときに幅方向外側に弾性変形し、突状部８４Ａが孔部８８の縁部に係止されることで、突状部８４Ａの抜けを抑制することができる。
【００５２】
また、着脱用背凭れ板８０の係合片８２が座部１２Ａの孔部８６に係合されると共に、着脱用背凭れ板８０の係合片８４が座部１２Ａの孔部８８に係合された状態で、着脱用背凭れ板８０の下端部８０Ｅ及び下端部８０Ｆが座部１２Ａに当接し、着脱用背凭れ板８０の上端部８０Ｃ及び両側部８０Ｄが背凭れ部１２Ｂの湾曲面１３Ａに隙間なく当接して寄りかかる。このとき、着脱用背凭れ板８０の上端部８０Ｃ及び両側部８０Ｄの縁部が段差部３５に当接し、着脱用背凭れ板８０の上端部８０Ｃ及び両側部８０Ｄが背凭れ部１２Ｂに支持される。
また、図１６Ｂに示されるように、着脱用背凭れ板８０を子供用座席装置本体１２に取り付けるときに、着脱用背凭れ板８０の支持部８０Ａの上端背面部から下向きに突出したフック部８５を、背凭れ部１２Ｂの段差部３５の上面に設けられた穴部９８に係合させる。これによって、着脱用背凭れ板８０の子供用座席装置本体１２への装着が完了する。
【００５３】
着脱用背凭れ板８０を子供用座席装置本体１２に取り付けると座部１２Ａに対して支持部８０Ａが寝た状態となり、着脱用背凭れ板８０を子供用座席装置本体１２から取り外すと座部１２Ａに対して背凭れ部１２Ｂの湾曲面１３Ａが立った状態となり、２つのパターンを構成することができる。このような子供用座席装置１０では、簡易な構成により子供用座席装置本体１２の座部１２Ａに対する背凭れ面の角度（座部１２Ａと背凭れ面の挟む角度）を変更可能である。また、着脱用背凭れ板８０の係合片８２、係合片８４が座部１２Ａの孔部８６、孔部８８にそれぞれ係合されたときに、着脱用背凭れ板８０の下端部８０Ｅ及び下端部８０Ｆが座部１２Ａに当接すると共に、着脱用背凭れ板８０の上端部８０Ｃが背凭れ部１２Ｂの湾曲面１３Ａで支持されるため、着脱用背凭れ板８０のガタつきが抑制され、支持部８０Ａの傾斜角度を安定化させることができる。
【００５４】
また、着脱用背凭れ板８０を子供用座席装置本体１２から取り外すときは、着脱用背凭れ板８０の係合片８２、係合片８４を弾性変形させて座部１２Ａの孔部８６、孔部８８から離脱させる。従って、着脱用背凭れ板８０の子供用座席装置本体１２への着脱作業を容易に行うことができる。
【００５５】
また、着脱用背凭れ板８０の係合片８２、係合片８４が座部１２Ａの孔部８６、孔部８８の下方側に突き出しており、また、係合片８４の突状部８４Ａが孔部８８に係止されているため、係合片８２及び係合片８４が座部１２Ａの孔部８６及び孔部８８から抜けにくい。このため、乗車時に着脱用背凭れ板８０が子供用座席装置本体１２から不用意に外れることを阻止できる。
【００５６】
また、着脱用背凭れ板８０の上端部８０Ｃ及び両側部８０Ｄが背凭れ部１２Ｂの湾曲面１３Ａに隙間なく当接して寄りかかると共に、着脱用背凭れ板８０のフック部８５が背凭れ部１２Ｂの穴部９８に係合されるため、着脱用背凭れ板８０の上端部８０Ｃと下端部８０Ｅ、８０Ｆで子供用座席装置本体１２に係合させることができ、着脱用背凭れ板８０のガタつきや位置ずれをより確実に抑制できる。このため、着脱用背凭れ板８０の支持部８０Ａの傾斜角度がより確実に安定化させることができる。さらに、着脱用背凭れ板８０の上端部８０Ｃ及び両側部８０Ｄが背凭れ部１２Ｂの湾曲面１３Ａに隙間なく当接するため、着脱用背凭れ板８０の上端部８０Ｃ及び両側部８０Ｄを背凭れ部１２Ｂにデザイン状の違和感なく組み付けることができる。
【００５７】
また、着脱用背凭れ板８０の装着時に着脱用背凭れ板８０と子供用座席装置本体１２との間に別部材を入れることができる。例えばヘルメットの盗難防止用のワイヤー錠や、子供の雨具などを入れることができ、利便性が向上する。
【００５８】
さらに、着脱用背凭れ板８０が不要になれば、子供用座席装置本体１２から着脱用背凭れ板８０を取り外すことで、子供用座席装置本体１２の軽量化が可能である。
【００５９】
さらにまた、座部１２Ａに対する支持部の角度の異なる別の着脱用背凭れ板を用意することで、例えば子供が着用する服の厚みに応じて着脱用背凭れ板を夏用と冬用で取り替えることができる。
【００６０】
なお、上記実施形態では、着脱用背凭れ板８０の支持部８０Ａの幅方向中央部に係合部としての係合片８２を設け、着脱用背凭れ板８０の湾曲面８０Ｂの幅方向両端部に係合部としての係合片８４を設けたが、係合部の位置や個数、及び形状は変更可能である。
【符号の説明】
【００６１】
１０   子供用座席装置
１２   子供用座席装置本体（座席本体）
１２Ａ 座部
１２Ｂ 背凭れ部
１３Ａ 湾曲面（背凭れ湾曲面）
２０   ヘッドガードユニット
２２   ヘッドガード
２４   高さ調整装置（高さ調整手段）
８０   着脱用背凭れ板
８０Ａ 支持部
８０Ｂ 湾曲面（翼部）
８０Ｃ 上端部（上部）
８０Ｄ 両側部
８０Ｅ 下端部（下部）
８０Ｆ 下端部（下部）
８２   係合片（係合部）
８４   係合片（係合部）
８４Ａ 突状部
８５   フック部（上側係合部）
８６   孔部（被係合部）
８８   孔部（被係合部）
９８   穴部（上側被係合部）
【図１】
2011084209.tif 000003
【図２】
2011084209.tif 000004
【図３】
2011084209.tif 000005
【図４】
2011084209.tif 000006
【図５】
2011084209.tif 000007
【図６】
2011084209.tif 000008
【図７】
2011084209.tif 000009
【図８】
2011084209.tif 000010
【図９】
2011084209.tif 000011
【図１０】
2011084209.tif 000012
【図１１】
2011084209.tif 000013
【図１２】
2011084209.tif 000014
【図１３】
2011084209.tif 000015
【図１４】
2011084209.tif 000016
【図１５】
2011084209.tif 000017
【図１６Ａ】
2011084209.tif 000018
【図１６Ｂ】
2011084209.tif 000019